(57)【要約】【課題】本発明は、従来の問題点に鑑みて、引き戸のスライドや引き戸装置の点検時に支障が出ない電線の配線方法を有する引き戸装置を提供する事を課題とする。【解決手段】電線を有する引き戸装置において、点検側の化粧枠内に配線収容部を形成するとともに、該配線収容部に電線を保持する配線保持部材を備え、配線保持部材を引き戸のスライド方向に長尺に形成し、配線収容部の下面から電線の落下を防止する落下防止部を設け、点検パネルの着脱時に、点検パネルが配線収容部に進入しないように点検パネルを案内するガイド部材を設ける。【選択図】図７
2017193821.tif 000002
【特許請求の範囲】
【請求項１】
戸先側縦枠と戸尻側縦枠と上枠より門形に形成されて、建物側の鉄骨に固定される三方枠にレール部材が配設され、戸先側縦枠と戸尻側縦枠間に所定間隔を有して対向して中枠が配設され引き戸枠とされ、引き戸が吊金具を介して、かつ自閉可能にレール部材に吊り下げられ、引き戸の閉鎖状態で引き戸の位置する側を出入口側とし、引き戸の開放状態で引き戸の位置する側を戸袋側とし、出入口側における人の出入方向の一方側を点検側、他方側を固定側とし、出入口側の上部の点検側、固定側のそれぞれに化粧枠が設けられ、少なくとも点検側の化粧枠の下方部の位置に点検パネルが着脱自在に設けられた引き戸装置において、点検側の化粧枠内に配線収容部を形成するとともに、該配線収容部に電線を保持する配線保持部材を備え、点検パネルの着脱時に、点検パネルが配線収容部に進入しないように点検パネルを案内するガイド部材を備えた事を特徴とする引き戸装置。
【請求項２】
配線保持部材は、引き戸のスライド方向に長尺に形成され、配線収容部の下面から電線の落下を防止する落下防止部を有する事を特徴とする請求項１に記載の引き戸装置。
【発明の詳細な説明】
【技術分野】
【０００１】
本発明は、電気配線を有する引き戸装置に関するものである。
【背景技術】
【０００２】
従来、病院等の公共の施設で使用されることの多い自閉式の引き戸装置では、全開時ストッパーで引き戸を開放状態で保持しておくと、火災が発生した場合、引き戸が開放状態であると熱や煙が拡散することになるため、火災時に熱感知器や煙感知器と連動して、電気を利用して全開時ストッパーを解除し、自動的に引き戸を閉鎖させる非常解除式全開時ストッパー装置が設けられていることがある。
また、電気を利用して自動的の引き戸の施錠操作が行われる電磁式のロック装置を設けられていることもある。
他にも、電気を利用して自動的の引き戸の開閉が行われる引き戸の駆動装置が設けられていることもある。
このような、電気を利用するものは、引き戸装置が設置される壁の内部から引き戸装置内部に電源線や電気信号線などの電線を引き込む必要がある。
そして、電線の引き戸装置内部への引き込みは、引き戸の上面に設けられた貫通孔を利用して行われることが多い。
しかしながら、このように引き戸装置の上面に貫通孔を設けた場合、壁内部の埃やチリなどが、貫通孔から容易に引き戸装置内部に侵入し、引き戸のスライドさせるレール装置に付着し、引き戸の開閉に支障がでることがあった（例えば特許文献１）。
また、電線が引き戸装置内で、引き戸のスライドに合わせて移動する部材に接触し、電線を傷つける恐れがあった。
【０００３】
一方、引き戸装置は、引き戸のスライド部の定期的な点検、あるいは故障の修理等を考慮して、着脱自在なパネル（いわゆる点検パネル）を出入口の点検側（通常は室内側）の上部に構成している。
このような点検パネルを外して点検を行った後、パネルを再度取り付けるが、パネルを取り付ける際、前述の電線を、点検パネルで引っ掛けたり、点検パネルで挟んだりして、電線を傷つける恐れがあった。
【先行技術文献】
【特許文献】
【０００４】
【特許文献１】特開２００５−２２８３８２号公報
【発明の概要】
【発明が解決しようとする課題】
【０００５】
本発明は、従来の問題点に鑑みて、引き戸のスライドや引き戸装置の点検時に支障が出ない電線の配線方法を有する引き戸装置を提供する事を課題とする。
【課題を解決するための手段】
【０００６】
上記課題を解決する為、本発明が第１の手段として構成したところは、戸先側縦枠と戸尻側縦枠と上枠より門形に形成されて、建物側の鉄骨に固定される三方枠にレール部材が配設され、戸先側縦枠と戸尻側縦枠間に所定間隔を有して対向して中枠が配設され引き戸枠とされ、引き戸が吊金具を介して、かつ自閉可能にレール部材に吊り下げられ、引き戸の閉鎖状態で引き戸の位置する側を出入口側とし、引き戸の開放状態で引き戸の位置する側を戸袋側とし、出入口側における人の出入方向の一方側を点検側、他方側を固定側とし、出入口側の上部の点検側、固定側のそれぞれに化粧枠が設けられ、少なくとも点検側の化粧枠の下方部の位置に点検パネルが着脱自在に設けられた引き戸装置において、点検側の化粧枠内に配線収容部を形成するとともに、該配線収容部に電線を保持する配線保持部材を備え、点検パネルの着脱時に、点検パネルが配線収容部に進入しないように点検パネルを案内するガイド部材を備えるものである。
【０００７】
次に上記課題を解決する為、本発明が第２の手段として構成したところは、上記第１の手段に加えて、配線保持部材は、引き戸のスライド方向に長尺に形成され、配線収容部の下面から電線の落下を防止する落下防止部を有するものである。
【発明の効果】
【０００８】
請求項１に記載の発明によると、配線収容部は化粧枠内に形成されるので、配線収容部に通される電線が、引き戸のスライドによって移動する部材の軌道上を邪魔することがなく、配線保持部材によって、電線が配線収容部に保持されるので、電線が、引き戸のスライドによって移動する部材の軌道上に落ちることがなく、電線が傷つけられることを防止できる。
また、点検パネルの着脱時に点検パネルが、配線収容部に入らないようにガイドが設けられるので、点検パネルによって配線収容部に通された電線が傷つけられることを防止できる。
【０００９】
請求項２に記載の発明によると、請求項１に記載の効果に加え、配線保持部材の落下防止部によって、配線収容部から電線が引き戸のスライドによって移動する部材の軌道上に落ちることがないだけでなく、配線保持部材は長尺に形成されるため、配線収容部内の電線が露出しないので、点検用工具などで、誤って電線を傷つけることを防止できる。
【図面の簡単な説明】
【００１０】
【図１】本発明の引き戸の閉鎖状態の正面略図。
【図２】本発明の引き戸の閉鎖状態の要部横断面図。
【図３】本発明の引き戸の開放状態の要部横断面図。
【図４】図１のＡ−Ａ線断面拡大図。
【図５】点検パネルを外した状態の要部拡大正面図。
【図６】図５から点検側化粧枠の室内側化粧垂直部を除いた状態の要部拡大正面図。
【図７】図４のａ部拡大図。
【図８】配線保持部材の装着方法を示す要部断面拡大概略図。
【図９】点検パネルの装着方法を示す要部断面拡大概略図。
【図１０】他の実施例の配線保持部材を示す拡大斜視図。
【図１１】他の実施例の配線保持部材の設置状態を示す要部拡大正面図。
【発明を実施するための形態】
【００１１】
戸先側縦枠と戸尻側縦枠と上枠より門形に形成されて、建物側の鉄骨に固定される三方枠にレール部材が配設され、戸先側縦枠と戸尻側縦枠間に所定間隔を有して対向して中枠が配設され引き戸枠とされ、引き戸が吊金具を介して、かつ自閉可能にレール部材に吊り下げられ、引き戸の閉鎖状態で引き戸の位置する側を出入口側とし、引き戸の開放状態で引き戸の位置する側を戸袋側とし、出入口側における人の出入方向の一方側を点検側、他方側を固定側とし、出入口側の上部の点検側、固定側のそれぞれに化粧枠が設けられ、少なくとも点検側の化粧枠の下方部の位置に点検パネルが着脱自在に設けられた引き戸装置において、点検側の化粧枠内に配線収容部を形成するとともに、引き戸のスライド方向に長尺であって、配線収容部の下面から電線の落下を防止する落下防止部を形成し電線を保持する配線保持部材を備え、点検パネルの着脱時に、点検パネルが配線収容部に進入しないように点検パネルを案内するガイド部材を備える引き戸装置。
【実施例】
【００１２】
以下、実施例を添付図面に基づいて詳述する。
図１において、符号１は三方枠を示している。三方枠１は、図２から図４に示すように、建物側の鉄骨１１・・・にブラケット１２・・・を介して固定された戸尻側縦枠１３および戸先側縦枠１４と、戸尻側縦枠１３と戸先側縦枠１４の上端間に、建物側の鉄骨１１・・・にブラケット１２・・・を介して配設された上枠１５より門形に形成されている。
【００１３】
そして、戸尻側縦枠１３と戸先側縦枠１４間で、上枠１５の室内側（実施例では点検側、いわゆる、引戸等の吊り込み側）と室外側（固定側）の両面に上端が固定され、下端部が床面に埋め込まれた室内側中枠３と室外側中枠３０が、室内側と室外側に所定間隔を有して配設されている。
尚、便宜上、一方側を室内側（点検側）、他方側を室外側（固定側）として説明しているが、いわゆる、引戸等の吊り込み側（メンテネンス等の点検側となる）が、室内側、室外側のいずれであっても良いことは云うまでもない。
以下、戸尻側縦枠１３と室内側中枠３間を戸袋室内側、戸尻側縦枠１３と室外側中枠３０間を戸袋室外側、戸袋室内側と戸袋室外側をあわせて戸袋側、戸先側縦枠１４と室内側中枠３間を出入口室内側、戸先側縦枠１４と室外側中枠３０間を出入口室外側、出入口室内側と出入口室外側をあわせて出入口側と云う。
また、引き戸のスライド方向を開閉方向、出入口側で、人などが出入りする方向を出入方向と云う（図４に示す）。
【００１４】
図４、図５において、符号２は、戸袋部側を高く所定の角度に傾斜して上枠１５の室外側内面にネジ止め連結されているレール取付材を示している。符号６は、レール部材５に吊り下げられた引き戸を示し、実施例における引き戸６は、２連式引き戸であるため、符号６Ａは、引き戸６の戸先側を形成する戸先側扉を示し、符号６Ｂは、引き戸６の引き込み側を形成する引き込み側扉を示す。
符号１６は、戸袋側の床面全幅にわたって固定されたベース材を示し、符号１６４は、ベース材１６の出入口側端部に、ガイドローラー１７が回転自在に設けられ、 室外側中枠３０、室内側中枠３間に取り付けられたガイドローラー取付部材を示している。
【００１５】
符号５０は、上方に突出する軌条からなり、レール取付材２の上面に取り付けられた戸先側扉用レール部材を示し、符号５は、レール取付材２の室内側に設けられたボールスライド場式の引き込み側扉用レール部材を示している。
戸先側扉用レール部材５０、引き込み側扉用レール部材５は、レール取付材２の傾斜に合わせて、戸袋部側を高く所定の角度に傾斜している。
【００１６】
図４、５において、符号６１は、戸先側扉６Ａを戸先側扉用レール部材５０に戸車６１１を介して吊り下げるための吊り下げ金具を示している。符号６２は、引き込み側扉６Ｂを引き込み側扉用レール部材５に設けられた吊り下げ用金具５５に吊り下げるための吊り下げボルトを示している。
尚、引き戸６は、戸先側扉用レール部材５０、引き込み側扉用レール部材５の傾斜によって、常に閉鎖方向に移動するよう付勢されている。
また、引き戸６を形成する戸先側引き戸６Ａと引き込み側引き戸６Ｂは、連動装置６００によって、同一方向に２対１の移動距離となるよう連動している。
【００１７】
図１、図５において、符号２００は、引き戸装置内部に引き込まれる電線を示している。
図１、図２、３において、符号４・・・は、戸袋室内側及び戸袋室外側の両面上下方向に所定間隔を有して配設された下地桟を示している。
図４において符号７は、上枠１５の点検出入口側に取り付けられる点検側化粧枠を示し、符号７０は、点検パネル８の着脱時に、点検パネル８を所定の位置に案内するガイド部材を示し、符号１９は、上枠１５の固定出入口側に設けられる室外側化粧枠を示している。
【００１８】
図４、図６において、符号１０は、引き戸を全開状態で保持する電磁式の全開時ストッパーを示し、符号２０１は、全開時ストッパー１０の全開保持状態を、電気を使用して解除するために電気信号線を示し、符号８は、電気信号線２０１を保持する配線保持部材を示す。
【００１９】
図１、図４において、符号９は、引き戸の摺動調整や電線のメンテナンス等を行うための着脱自在の点検パネルを示している。
【００２０】
そして、上記三方枠１（レール部材５が取り付けられたレール取付材２を含む。）、ベース材１６、室内側中枠３、室外側中枠３０、下地桟４・・・、室外側化粧枠１９、点検側化粧枠７、電線２００が、内装仕上げ（化粧ボード、クロス等の張付け）の行われるまでに施工され、内装仕上げが終了した後、引き込み側扉６Ｂが引き込み側扉用レール部材５に吊り込まれ、戸先側扉６Ａが戸先側扉用レール部材５０に吊り込まれ、引き戸６の摺動確認、閉鎖スピードの調整作業、開放ストッパーの保持位置の調整、レール取付材２の連結固定、電線の接続等が行われ、点検パネル９を装着する。
【００２１】
以下、各部材について詳述する。
上枠１５は、図４に示す如く、平板状の上枠基板１５１と、上枠基板１５１の室外側端に連接し、該室外側端から下方に向かって形成される上枠室外側部材１５２と、上枠基板１５１の室内側端に連接し、該室内側端から下方に向かって形成される上枠室内側部材１５３より構成されている。
【００２２】
戸先側縦枠１４は、図２、３に示す如く、建物側の鉄骨１１側の上下方向に所定間隔を有して固定用部材１４１・・・が設けられ、出入口側方向で室内側に突出して室内側の化粧ボード１００の出入り口側端面を隠蔽する室内側ボード閉塞突部１４７と、出入口側方向で室外側に突出して室外側の化粧ボード１００の出入口側端面を隠蔽する室外側ボード閉塞突部１４６と、室内側ボード閉塞突部１４７と室外側ボード閉塞突部１４６間に位置し、引戸６の戸先側端部が位置する部分に閉鎖用凹部１４８が上下方向に渡って設けられた扁平な略コ字形に形成されている。
【００２３】
室内側中枠３は、図２、３に示す如く、上端部が上枠１５の上枠室内側部材１５３側にネジ止め連結される内面側に位置する補強枠３１と、補強枠３１の出入り口側の端部から室内側に位置する室内側外側枠３６より構成されている。
室内側外側枠３６は、補強枠３１の出入り口側の端部から室内側に突出し、室内側戸袋化粧ボード１００の出入口側端部を隠蔽する室内側中枠突部３２と、室内側中枠突部３２の内面側端部から戸尻側縦枠１３方向に突出し、室内側戸袋化粧ボード１００が貼り付けられる化粧ボード支持部３３より形成され、下端部がベース材１６と連結され、床面仕上げ時に下端が床面に埋め込まれて立設される。
【００２４】
室外側中枠３０は、図２、３に示す如く、上端部が上枠１５の上枠室外側部材１５２側にネジ止め連結される内面側に位置する室外側補強枠３０１と、室外側補強枠３０１の出入り口側の端部から室外側に位置する室外側外側枠３０６より構成されている。
室外側外側枠３０６は、室外側補強枠３０１の出入り口側の端部から室外側に突出し、室外側戸袋化粧ボード１００の出入口側端部を隠蔽する室外側中枠突部３０２と、室外側中枠突部３０２の内面側端部から戸尻側縦枠１３方向に突出し、室外側戸袋化粧ボード１００が貼り付けられる室外側化粧ボード支持部３０３より形成され、下端部がベース材１６と連結され、床面仕上げ時に下端が床面に埋め込まれて立設される。
【００２５】
固定側化粧枠１９は、図４に示す如く、上枠１５の上枠室外側部材１５２の下方側に取り付けられるものであって、室外側中枠３０の戸袋側面と戸先側縦枠１４の出入口側面で形成される寸法と略同じ長さに、すなわち長尺に形成されているものである。
そして、固定側化粧枠１９は、室外側出入口側上部の化粧ボード１００の端部を隠蔽する板状の固定側化粧枠基材１９１と、固定側化粧枠基材１９１の室外側端から垂下する室外側化粧垂直部１９２と、室外側化粧垂直部１９２の下端から室内側に水平に突出する室外側化粧水平部１９３と、室外側化粧水平部１９３の室内側端から上方に突出する内面化粧部１９４で形成される。
【００２６】
点検側化粧枠７は、上枠１５の上枠室内側部材１５３に取り付けられるものであって室内側中枠３の戸袋側面と戸先側縦枠１４の出入口側面で形成される寸法と略同じ長さに、すなわち開閉方向に長尺に形成されているものである。
そして、点検側化粧枠７は、室内側出入口側上部の化粧ボード１００の端部を隠蔽する板状の室内側化粧枠基材７２と、室内側化粧枠基材７２の室外側端から垂下する連結部７１と、室内側化粧枠基材７２の室内側端から垂下する室内側化粧垂直部７３と、室内側化粧垂直部７３の下端から室外側に水平に突出する室内側化粧水平部７４と、室内側化粧水平部７４の室外側端から上方に突出する案内補助部７５で形成される。
また、点検側化粧枠７の連結部７１の戸先側には、配線２００、電気信号線２０１などの電線が挿通する配線挿通孔１５１が設けられ、上枠１５の上枠室内側部材１５３にも配線挿通孔１５１に対応した挿通孔が設けられる。
【００２７】
そして、点検側化粧枠７の長尺方向の略中間の位置に、ガイド部材７０が取り付けられている。
ガイド部材７０は、点検側化粧枠７の室内側化粧枠基材７２の下面に連結される板状の基部７０２と、基部７０２の室内側端から垂下し、点検側化粧枠７の室内側化粧水平部７４より下方に突出する長さのガイド部７０１で形成される。
該突出する長さは適宜決められるものであるが、引き戸装置のメンテナンス時の邪魔にならないように、室内側化粧垂直部７３の垂直長さより短い長さとすることが望ましい。
また、ガイド部材７０は、開閉方向で５０ミリメートルほどの長さに形成されている。
【００２８】
ガイド部材７０は、ガイド部７０１と点検側化粧枠７の案内補助部７５間に、後述する点検パネル９の上部のみ込み基材９４の厚み相当分の間隔が設けられるように、基部７０２が点検側化粧枠７の室内側化粧枠基材７２の下面に溶接止めされている。
【００２９】
点検側化粧枠７の連結部７１と案内補助部７５間で形成される開閉方向に長尺な空間であって、点検側化粧枠７の連結部７１とガイド部材７０のガイド部７０１間に相当する出入方向の寸法分の空間が配線収容部７００とされる。したがって、配線収容部７００は、点検側化粧枠７内に形成されている。
尚、点検側化粧枠７の室内側化粧垂直部７３は、室内側に露呈し、室内側化粧水平部７４、案内補助部７５は、後述する点検パネル９が当接するだけであり、室内側化粧枠基材７２は、化粧ボード１００の端部が載置するだけなので、配線収容部７００は、化粧ボード１００を留め付けるためのネジなど、電線類を傷つける突起物がないので、電線類を配線収容部７００に配置しても電線類を傷つけることがない。
【００３０】
全開時ストッパー１０は、主に、左右方向に細長い直方体状の本体１０１と、引戸６側に設けられた引戸側係合部９００と係合する枠側係合部１０２からなり、本体１０１内には、枠側係合部１０２の係脱を電気的に制御する制御装置が内蔵されており、該制御装置に電気信号を送る電気信号線２０１が本体１０１より引き出されている。
そして、全開時ストッパー１０は、本体上面にネジ止め連結される全開時ストッパー連結材１０ａを介して上枠１５の室内側にネジ止めされる全開時ストッパー取り付け座１０ｂに取り付けられる。
【００３１】
配線保持部材８は、開閉方向に長尺であって、板状の配線受け基材８１と、配線受け基材８１の室外側端から垂下する固定部８３と、配線受け基材８１の室内側端から上方に突出する落下防止部８２で形成され、後述する電線２００や電気信号線２０１を結束バンド８００などの結束材で配線保持部材８に保持するための、結束材相通孔８４が適宜設けられる。
配線保持部材８は、長尺であるが、点検側化粧枠７の長尺寸法より短く設定されるもので、実施例では、全開時ストッパー取り付け座１０ｂと、配線挿通孔１５１間に収まる長さに設定されている。また、配線保持部材８の出入方向の寸法は、前記配線収容部７００に収まる寸法に設定される。
【００３２】
点検パネル９は、出入口側で出入口の上端部、すなわち固定側化粧枠１９の下面（室外側化粧水平部１９３）の高さと同じ高さを基点（線）とし、基点から上部に向かって点検側化粧枠７の下面までの高さであって、点検側化粧枠７と略同じ幅（長さ）で板状に形成される点検パネル基材９１と、点検パネル基材９１の下端から室外側に向かって水平に延伸する点検パネル化粧水平部９２と、点検パネル基材９１の上端から室外側に向かって水平に延伸する上部水平部９３と、上部水平部９３の室外側端から上部に突出する上部のみ込み基材９４で形成される。
上部水平部９３の出入口方向の寸法は、上部のみ込み基材９４が、前述のガイド部材７０のガイド部７０１と、点検側化粧枠７の案内補助部７５間に位置するように寸法設定がなされている。
そして、点検パネル基材９１の下部側で、室内側中枠３の上部内面と、戸先側縦枠１４の室内側の内面上部に設けられた点検パネル取付座９００に、前方よりネジ止めされ、着脱自在に取り付けられている。
【００３３】
このように構成される引き戸装置の配線方法を説明する。
三方枠１、ベース材１６、室内側中枠３、室外側中枠３０、下地桟４・・・、室外側化粧枠１９、点検側化粧枠７、電線２００が、内装仕上げ（化粧ボード、クロス等の張付け）の行われるまでに施工され、内装仕上げが終了した後、引き込み側扉６Ｂが引き込み側扉用レール部材５に吊り込まれ、戸先側扉６Ａが戸先側扉用レール部材５０に吊り込まれた状態で、前述の通り、全開時ストッパー１０を、上枠１５に全開時ストッパー連結材１０ａ、全開時ストッパー取り付け座１０ｂを介して取り付ける。
全開時ストッパー１０用の電気信号線２０１は、適宜、全開時ストッパー連結材１０ａ、全開時ストッパー取り付け座１０ｂに設けられた挿通孔を通して上方に通される。
【００３４】
電線２００は、全開時ストッパー１０に電気信号を送るものであって、別途設置される制御装置から引き戸装置が設置される壁内を通り引き戸装置内部に引き込まれるもので、戸先側縦枠１４の上部から、戸先側縦枠１４の戸袋側面の所定の位置に設けられた挿通孔を通して、引き戸装置内部に引き込まれる。
引き込まれた電線２００は、前述の配線挿通孔１５１より取り出され、配線収容部７００に通される。
そして、電線２００は、配線収容部７００を戸袋側に向かって引き伸ばされ、前述の全開時ストッパー１０用の電気信号線２０１と全開時ストッパー取り付け座１０ｂ部で接続される。
この状態で、電線２００は、配線収容部７００から垂れ下がってくるので、まず、電線２００を戸先側と戸袋側で樹脂製の留め具８０１、８０１（図６に示す）で固定する。この状態で、電線２００の垂れ下がりは、ある程度抑制されることができる。
尚、本説明とは逆に、電気信号線２０１を戸先側まで引き伸ばし、戸先側縦枠１４近傍で電気信号線２０１と電線２００を接続することもある。
【００３５】
次に、垂れ下がった状態の配線２００の下方より、配線保持部材８を、配線受け基材８１で配線２００が持ち上げるようにしながら（図８の状態）、配線受け基材８１が配線収容部７００の下面と略同じ位置になるまで持ち上げる。この状態で、配線保持部材８の固定部８３を点検側化粧枠７の連結部７１にネジ止めし、配線保持部材８を固定する。
配線保持部材８を持ち上げる前に、配線２００を配線保持部材８の結束材相通孔８４を使用して、結束バンド８００などの結束材で配線保持部材８と配線２００を部分的に固定しておいてもよいが、配線保持部材８は、取り付けた状態で、配線受け基材８１、落下防止部８２、点検側化粧枠７の連結部７１で上向きコ字状部（落下防止部）を形成するので、配線２００を結束材で固定しなくとも配線２００が配線収容部７００から落下することがない。
【００３６】
尚、配線保持部材８は、図１０に示すような小型の配線保持具８ａを使用し、図１１に示すように複数個の配線保持具８ａで配線２００を固定してもよい。
この場合、電線２００を配線収容部７００に配置させておくことはできるが、配線２００は、配線収容部７００下面から露呈しているため、引き戸装置のメンテナンス時などに使用する工具類で配線２００を傷つける可能性があるので、前述のように配線保持部材８は長尺に形成し、配線収容部７００下面から配線２００が露呈しないようにするほうが望ましい。
【００３７】
次に点検パネル９の取り付け方法を説明する。
点検パネル９を上部が室外側にやや倒れた状態で上部のみ込み基材９４の先端を、ガイド部材７０のガイド部７０１の室内側面に当てる（図９の（イ）の状態）。
そして、点検パネル９全体を上方に押し上げる。そうすると、上部のみ込み基材９４が、ガイド部７０１の面に沿ってガイド部７０１と点検側化粧枠７の案内補助部７５間案内される（図９の（ロ）の状態）。
次に、点検パネル９を垂直な状態にし（図９の（ハ）の状態）、点検パネル９を押し上げると、上部のみ込み基材９４が、点検側化粧枠７の案内補助部７５間に差し込まれる。
そして、点検パネル９を所定の高さまで持ち上げてから（図９の（ニ）の状態）、点検パネル基材９１の下部側で、室内側中枠３の上部内面と、戸先側縦枠１４の室内側の内面上部に設けられた点検パネル取付座９００に、前方よりネジ止めし固定する。
このように、点検パネル９の上部のみ込み基材９４の先端が、ガイド部材７０のガイド部７０１に案内されるだけでなく、ガイド部７０１によって、上部のみ込み基材９４が配線収容部７００に進入することがないので、電線類を傷つけることを防止できる。
当然ながら、点検パネル９の取り外しの際にも、ガイド部材７０は点検パネル９を案内することができる。
【００３８】
尚、点検パネル取付座９００が取り付けられる目地材９０１は平板状に形成され、上部が点検側化粧枠７内まで延ばされ、ガイド部材７０のガイド部７０１と同様に、目地材９０１の室内側面と点検側化粧枠７の案内補助部７５間に点検パネル９の上部のみ込み基材９４の厚み相当分の間隔が設けられているので、ガイド部材７０と同様に、点検パネル９の取り付け時に上部のみ込み基材９４を所定の位置に案内することができる。
したがって、本実施例では、ガイド部が、出入口側の戸先側と戸袋側の両側の目地材９０１部と、出入口側の略中央部のガイド部材７０部の３箇所設けられている。このため、点検パネル９の着脱時に、より確実に案内することができるので、電線類を傷つけることを防止できる。
【００３９】
このような配線方法は全開時ストッパーに留まらず、電磁式のロック装置や自動開閉式のドアなど、電気配線を有するものに広く利用することが可能である。
また、実施例における引き戸は２連式であるが、1枚扉でも多連式でも構わない。２連式、３連式などの多連式の場合は、メンテナンス部の部材点数が多いため、電線用のスペースが確保できない傾向にあるため、本発明の配線方法は、多連式引き戸の場合にもっとも効果を発揮することができる。
しかしながら、本発明の配線方法は引き戸の他、折りたたみ戸や開き戸など、広くの分野で利用できる。
【符号の説明】
【００４０】
１          引き戸枠
２          レール取付材
２００      電線
２０１      電気信号線
３          室内側中枠
３０        室外側中枠
６          引き戸
７          点検側化粧枠
７５        案内補助部
７０        ガイド部材
７０１      ガイド部
７００      配線収容部
８          配線保持部材
８１        配線受け基材
８２        落下防止部
９          点検パネル
９４        上部のみ込み基材
１０        全開時ストッパー
【図１】
2017193821.tif 000003
【図２】
2017193821.tif 000004
【図３】
2017193821.tif 000005
【図４】
2017193821.tif 000006
【図５】
2017193821.tif 000007
【図６】
2017193821.tif 000008
【図７】
2017193821.tif 000009
【図８】
2017193821.tif 000010
【図９】
2017193821.tif 000011
【図１０】
2017193821.tif 000012
【図１１】
2017193821.tif 000013